(57)【要約】【課題】割当てられたかごが到着する前に乗り場の混雑状況を予測し、その混雑状態に応じて複数のかごを適切に割当て、積み残しを軽減することができる行先階予約式群管理エレベーターの制御装置を提供する。【解決手段】乗り場で予約された行先階呼びを、前記群管理制御装置内で選ばれたエレベーターかごに割当てる第１割当て手段と、前記第１割当て手段によって割当てられたエレベーターかごが前記乗り場に到着する前に、前記乗り場で任意の行先階が追加登録され、かつ、前記第１割当て手段によって割当てられたエレベーターかごが前記乗り場にサービスして出発するときの予測かご内乗客数が所定値を上回るとき、前記乗り場に他のエレベーターかごを追加割当てする。【選択図】図１
2010150013.tif 000002
【特許請求の範囲】
【請求項１】
複数階床にサービスする複数台のエレベーターの運行を管理する群管理制御装置と、乗り場に設けられたエレベーターの行先階を予約する行先階予約装置と、予約された前記行先階を割当てられたエレベーターかご内の操作盤に自動登録する自動登録手段と、エレベーターかごのかご内乗客数を予測するかご内乗客数予測手段を備えたエレベーター群管理システムにおいて、乗り場で予約された行先階呼びを、前記群管理制御装置内で選ばれたエレベーターかごに割当てる第１割当て手段と、前記第１割当て手段によって割当てられたエレベーターかごが前記乗り場にサービスして出発するときの予測かご内乗客数が所定値を上回るとき、前記乗り場に他のエレベーターかごを追加割当てする追加割当て手段を備えたことを特徴とするエレベーター群管理システム。
【請求項２】
複数階床にサービスする複数台のエレベーターの運行を管理する群管理制御装置と、乗り場に設けられたエレベーターの行先階を予約する行先階予約装置と、予約された前記行先階を割当てられたエレベーターかご内の操作盤に自動登録する自動登録手段と、エレベーターかごのかご内乗客数を予測するかご内乗客数予測手段を備えたエレベーター群管理システムにおいて、乗り場で予約された行先階呼びを、前記群管理制御装置内で選ばれたエレベーターかごに割当てる第１割当て手段と、前記第１割当て手段によって割当てられたエレベーターかごが前記乗り場に到着する前に、前記乗り場で任意の行先階が追加登録され、かつ、前記第１割当て手段によって割当てられたエレベーターかごが前記乗り場にサービスして出発するときの予測かご内乗客数が所定値を上回るとき、前記乗り場に他のエレベーターかごを追加割当てする追加割当て手段を備えたことを特徴とするエレベーター群管理システム。
【請求項３】
請求項１または２において、前記かご内乗客数予測手段は、前記乗り場で行先階が予約された回数を含めて演算するように構成したことを特徴とするエレベーター群管理システム。
【請求項４】
請求項１〜３のいずれかにおいて、前記かご内乗客数予測手段は、前記乗り場へ前記割当てかごが到着したときの予測かご内乗客数と、前記乗り場へ前記割当てかごが到着したときの予測降り人数と、前記乗り場での前記行先階の予約回数に基いて算出された予測乗込み人数とを含めて前記出発時の予測エレベーターかご内乗客数を算出することを特徴とするエレベーター群管理システム。
【請求項５】
請求項１〜４のいずれかにおいて、前記所定値は、エレベーターかご内定員に所定の割合を乗算した値であることを特徴とするエレベーター群管理システム。
【請求項６】
請求項１〜４のいずれかにおいて、前記所定値は、混雑時、平常時、または閑散時の交通需要に応じて異なる係数値を乗算した値であることを特徴とするエレベーター群管理システム。
【請求項７】
請求項１〜６のいずれかにおいて、前記行先階予約装置は、行先階を予約操作すると、その行先階と割当てられたエレベーターかごの号機名を表示し、直ぐにその表示を消すように構成されていることを特徴とするエレベーター群管理システム。
【発明の詳細な説明】
【技術分野】
【０００１】
本発明は、複数台のエレベーターの運行を統括管理する群管理システムに係り、特に、乗り場にて行先階を予約する乗り場行先階予約式の群管理エレベーターの制御装置に関するものである。
【背景技術】
【０００２】
エレベーター群管理システムは、複数台のかごを１つのグループとして扱うことで、利用者に対してより効果的な運行サービスを提供する。具体的には、複数台のかごを１つのグループとして管理し、ある階にて乗り場行先階が登録された場合に、このグループの中から最適なかごを１つ選択して、そのかごに前記乗り場呼びを割当てる処理を実施する。
【０００３】
行先階予約システム式の群管理（以下、行先階予約式群管理と呼ぶ）とは、かごに乗車する前に、乗り場に設けられている行先階予約装置で行先階を登録する方式の群管理である。一般の群管理では、乗り場で上または下方向の呼びを登録して、到着したかごに乗った後に行先階を登録するのに対して、行先階予約式では、制御装置にとって、早い段階で利用者の行先階が分かので、行先階に応じてより最適なかごを割当てることができる。しかし、乗り場に来た利用者にとっては、どの階行きの呼びが登録されているかは判らないようになっており、原則として、待ち客全員が、それぞれ希望する行先階を予約操作することとなる。
【０００４】
乗り場で待つ利用者が多い場合、一般エレベーターと同様に、１台のかごでは全員を乗せることができず、乗り切れなかった利用者は、再度、ホール呼び（行先階）を登録し、次のかご到着を待たなければならない。
【０００５】
このような積み残しを防止するため、利用者が多い場合は、追加割当てを行い、結局、１つの乗り場に複数台のかごを割当てることが行われている。
【０００６】
以下に、前記追加割当てに関する従来技術を列挙する。
【０００７】
まず、特許文献１には、行先階予約式群管理において、乗り場にて行先階予約装置に登録された呼び登録個数を計数して、この乗り場行先階釦登録階床数が所定値を超えた場合には、別のかごを追加で割当てるという例が示されている。
【０００８】
次に、特許文献２には、行先階予約式群管理ではないが、所定時間内に所定回数以上の乗り場呼び釦の操作があったことを検出し、該当乗り場呼びに対して優先して追加割当てを行うという例が示されている。
【０００９】
また、特許文献３にも、行先階予約式群管理ではないが、一度に登録された乗り場呼び登録回数を計数し、その登録回数に対応する台数のエレベーターを割当てるという例が示されている。
【００１０】
さらに、特許文献４には、行先階予約式群管理において、予測かご内乗客数が所定値を超えるエレベーターを、割当て候補エレベーターから外すという例が示されている。
【００１１】
【特許文献１】特開平７−２３２８６７号公報
【特許文献２】特開平５−９７３３３号公報
【特許文献３】特開２００８−２４４１２号公報
【特許文献４】特開２００３−２７６９６１号公報
【発明の開示】
【発明が解決しようとする課題】
【００１２】
上記に列挙した従来技術では、いずれも、必ずしも待ち時間を削減し、積み残しの防止を実現しているとは言えない。
【００１３】
特許文献１に示されている例では、追加割当てを行う条件に乗り場行先階釦による登録階床数を用いている。しかし、同じ行先階の利用者が多かった場合、行先階床数は少ないため、追加割当てが行われず、積み残しを発生させてしまう。また、逆に、行先階床数が多くて追加割当てしても、各行先階に1人づつの利用者しかいなければ、追加割当てかごが到着しても、その乗り場に待ち客はいないという無駄が生じる可能性がある。
【００１４】
特許文献２に示されている例では、利用者が１台のエレベーター配車では積み残しが発生すると判断した場合、所定時間に所定回数だけ乗り場呼び釦を押下すると追加割当てが実施されるが、この機能を知っている人しか使用できない。また、逆に、この機能を知った利用者に悪用されると、過剰な追加割当てにより、運転効率が減少する可能性も考えられる。
【００１５】
特許文献３に示されている例では、行先階予約式群管理ではないが、混雑時、乗り場呼びの回数分だけかごを割当てている。１つの呼びに対して１台のかごを割当てることで、かご１台の１周あたりにおける停止回数は削減できるが、１つの階にかごを呼び過ぎてしまう可能性がある。これでは、大きな運転効率ダウンに繋がってしまう。
【００１６】
特許文献４に示されている例では、行先階予約式群管理において、エレベーターの割当てに、学習機能やセンサにより乗車人数や降車人数の算出を利用しており、出勤時間や昼食時間など毎日同じ交通需要がある場合には、サービス性の向上が期待できる。しかし、学習機能が働く前や、特定のイベントや大人数が集まる会議等は時間的要因によらないため、学習機能では対応できない場合がある。学習機能に頼りすぎず、その時々のリアルタイムの交通需要に対応した追加割当てを行わなければ、最適な運行は達成できない。
【００１７】
本発明の目的は、割当てられたかごが到着する前に乗り場の混雑状況を予測し、その混雑状態に応じて複数のかごを適切に割当て、積み残しを軽減することができる行先階予約式群管理エレベーターの制御装置を提供することである。
【課題を解決するための手段】
【００１８】
本発明はその一面において、乗り場行先階予約式エレベーター群管理システムにおいて、乗り場で予約された行先階呼びを、群管理制御装置内で選ばれたエレベーターかごに割当てる第１割当て手段と、前記第１割当て手段によって割当てられたエレベーターかごが前記乗り場にサービスして出発するときの予測かご内乗客数が所定値を上回るとき、前記乗り場に他のエレベーターかごを追加割当てする追加割当て手段を備えたことを特徴とする。
【００１９】
本発明は他の一面において、乗り場行先階予約式エレベーター群管理システムにおいて、乗り場で予約された行先階呼びを、群管理制御装置内で選ばれたエレベーターかごに割当てる第１割当て手段と、前記第１割当て手段によって割当てられたエレベーターかごが前記乗り場に到着する前に、前記乗り場で任意の行先階が追加登録され、かつ、前記第１割当て手段によって割当てられたエレベーターかごが前記乗り場にサービスして出発するときの予測かご内乗客数が所定値を上回るとき、前記乗り場に他のエレベーターかごを追加割当てする追加割当て手段を備えたことを特徴とする。
【００２０】
本発明の望ましい実施態様においては、行先階予約式群管理において、乗り場の行先階予約に対して、現在割当てられているかごの当該乗り場を出発時のかご内乗客数を、乗り場行先階呼び登録の回数、かご到着時の予測かご内乗客数、及び到着時の予測降り人数から予測し、かご内定員と比較することで、交通需要に応じて追加割り当てを行う。
【発明の効果】
【００２１】
本発明の望ましい実施態様によれば、行先階予約式群管理において、かご到着前に乗り場の混雑状況を予測し、その混雑状態に応じて複数のかごを適切に割当て、積み残しを軽減することができる。
【００２２】
本発明のその他の目的と特徴は、以下に述べる実施態様の中で明らかにする。
【発明を実施するための最良の形態】
【００２３】
以下、図面を参照して、本発明の実施例について詳細に説明する。
【００２４】
図１は、本発明の一実施例による乗り場行先階予約式エレベーター群管理システムの全体構成図である。このエレベーター群管理システムは、乗り場で行先階を登録して、その行先階に応じてかごを割当てる方式を用いた群管理である。主な構成は、Ａ号機からＦ号機の６台のエレベーター制御装置３１，３２，…３６と、エレベーターかご４１，４４２，…４６である。各エレベーター装置は、かご，巻上げ機，おもり，及びロープなどで構成されるが、図１ではエレベーターかごとロープのみを図示している。次に、複数階床のエレベーター乗り場に、行先階予約装置２１，２２，…２９を配置している。
【００２５】
この行先階予約装置２１，２２，…２９は、テンキーにより行先階を予約操作すると、その行先階と割当てられたエレベーターかごの号機名を瞬時に表示し、直ぐにその表示を消すものとする。したがって、予約者には、予約行先階と割当てエレベーターかごが判るが、他の利用者には判らない。このため、乗り場に来た利用者全員が、個別に、行先階を予約操作することが想定されている。
【００２６】
追加割当て機能を持たない群管理装置１０において、呼び発生階での各かごの到着予測時間算出部１０１は、呼びが発生した階における各かごの到着予測時間を各かごの現在位置，方向，速度，乗り場呼び，行先階呼びおよび交通需要の状況から算出する。各かごの停止数算出部１０２では、各かごの割当てられた乗り場呼びと、その呼びの行先階とからそのかごの停止数を予測する。
【００２７】
ホール呼びに対するかごの割当てにおいては、行先階が先に判るため、各かごの停止数を抑えるように割当てる。これらの算出された情報を基に、第１割当てかごの選定部１０５では、複数台のエレベーターから最も適切なかごを選択する。
【００２８】
本発明のポイントである追加割当て機能を持つ群管理装置１１は、前述した群管理装置１０の算出データを利用した群管理制御システムである。交通需要判定部１０３は、その時間帯での階床間別乗降人数，待ち時間，時刻情報，および過去の統計データなどから、その時点またはその先の時点での交通需要を判定する。例えば、混雑状態，平常状態，あるは閑散状態などの判定を行う。出発時の予測かご内乗客数算出部１０４では、行先階予約装置に登録された回数，到着時の予測かご内乗客数，及び到着時の予測降り人数から出発時の予測かご内乗客数を演算する。追加割当て実施判定部１０６では、前記算出された出発時の予測かご内乗客数を、混雑需要に応じたかご内定員に一定の割合を乗算して求めた基準値と比較し、積み残し発生を予測する。積み残し発生が予測された場合は、追加割当てを実施する。この追加割当て実施判定については、図３を参照して詳しく説明する。
【００２９】
追加割当てかごの選定部１０７では、追加割当て実施判定部１０６で追加割当て実施の判定を受けた場合、その乗り場への到着予測時間，停止数，および交通需要などを考慮し、最も適切なかごを追加割当てする。
【００３０】
最後に、第１割当てかごの選定部１０５と追加割当てかごの選定部１０７により割当てられた情報は、該当かごの制御装置３１，３２，または３６に伝えられる。
【００３１】
次に、図２は、本発明の一実施例による乗り場行先階予約式エレベーター群管理システムにおける追加割当て処理フロー図である。このフローチャートを用いて、エレベーター群管理システムによる呼び発生から追加割当て処理までの流れを説明する。
【００３２】
図２のフローチャートは、エレベーター利用者がある乗り場にて行先階を登録することでスタートする。まず、かごの号機番号を示す変数ｋをゼロ値に初期化する（ＳＴ０１）。そして、ｋ番目の号機（以下、ｋ号機と呼ぶ）が割当て可能な号機か否かを判定する。（ＳＴ０２）。ここで、割当て可能かどうかの判定は、かご内の乗客数が満員か、もしくは乗り場到着までに満員となることが予測されるかなど、そのかごが実際にサービス可能かどうかを判定する。割当て可能な場合は、次のステップへ行き、不可の場合は、ｋの値に１が加算されて、次の号機を対象として同様の処理を実行する（ＳＴ０５）。
【００３３】
ｋ号機が割当て可能な場合は、ｋ号機に対して、第１割当てかごの評価値が計算される（ＳＴ０３）。この評価値は、ｋ号機に当該乗り場の呼びを割当てた場合の到着予測時間，既に受け持っている各呼びの予測待ち時間，予測サービス完了時間，および予測停止数などによって算出される。
【００３４】
次に、全ての号機に対して処理が終了したかどうかがチェックされ（ＳＴ０４）、終了していない場合はｋの値に１が加算して、評価値計算対象を次の号機へ移す（ＳＴ０５）。
【００３５】
全ての号機に対して処理が終了している場合は、割当て可能な各号機の第１割当てかごの評価値に基いて、第１割当てかごを選定する（ＳＴ０６）。この選定は、各号機の第１割当てかごの評価値から、該当乗り場を含めて、できるだけ全体の呼びの待ち時間が短く、また、各呼びのサービス完了時間が短く、さらに、停止数が少なくするような号機に呼びが割当てられる。
【００３６】
登録された行先階呼びに対して、第１割当てかごが決まると、追加かご割当てが必要であるか否かの判定を行う（ＳＴ０７）。この判定の詳細については図３を参照して詳細に後述する。追加かご割当て実施条件を満たさない場合は、追加割当てを実施せず（ＳＴ０８）、処理を抜ける。追加かご割当て実施条件を満たす場合は、かごの号機番号を表す変数ｋをゼロ値に初期化する（ＳＴ０９）。次に、ｋ号機が第１割当てかごではないことをチェックする（ＳＴ１０）。第１割当てかごである場合は、ｋの値に１を加算して、次の号機に移る（ＳＴ１４）。ｋ号機が第１割当てかごでない場合はｋ号機が割当て可能な号機かを判定する（ＳＴ１１）。ｋ号機が割当て可能な号機でない場合は、ｋの値に１を加算して、次の号機に移る（ＳＴ１４）。ｋ号機が割当て可能な号機である場合は、追加割当てかごの評価値が計算される（ＳＴ１２）。この評価値は、ｋ号機に当該乗り場の呼びを割当てた場合の当該乗り場への到着予測時間，既に受け持っている呼びの予測待ち時間，予測サービス完了時間，および予測停止数などによって算出される。次に、全ての号機に対して、処理が終了したかどうかがチェックされ（ＳＴ１３）、終了していない場合はｋの値に１が加算されて、追加割当てかごの評価値計算の対象を次の号機へ移す（ＳＴ１４）。終了している場合は割当て可能な各号機の追加割当てかごの評価値から最適な追加割当てかごを選定する（ＳＴ１５）。
【００３７】
以上のようにして、予約された行先階呼びに対して即座に適切な第１割当てかごを決定して表示し、さらに、そのときの交通需要も加味して、追加でかごを割当てることにより、積み残し防止を図ると共に待ち時間を削減することができる。
【００３８】
次に、図２の追加割当て実施判定条件（ＳＴ０７）についての詳細を図３で説明する。
【００３９】
図３は、本発明の一実施例による追加割当て実施判定処理フロー図である。
【００４０】
乗り場にて１人目の行先階呼びが予約されると、図２のフローチャートに示したように、その状況における最適なかごが割当てられる。図３では、まず、１回目の行先階登録以降に、同乗り場にて２つ目（行先階には関係なく）の行先階呼びが登録されているかをチェックしている（ＳＴ２０）。複数の行先階登録がない場合は追加割当てを実施しない（ＳＴ２６）。複数の行先階登録がある場合は、その登録回数をカウントし、当該乗り場での乗り場待ち人数を算出する（ＳＴ２１）。この値を用いて、次のように当該乗り場出発時の予測かご内乗客数を算出する。すなわち、行先階予約装置により求められた当該乗り場への到着時の予測かご内乗客数から、到着時予測降り人数を減算し、さらに（ＳＴ２１）で算出された当該乗り場での待ち人数を加算することで、当該乗り場出発時の予測かご内乗客数を割出す（ＳＴ２２）。この現在割当てられている号機の当該乗り場出発時の予測かご内乗客数を、かご内定員の８０％を比較することで、追加割当てを実施するか否かを判定している（ＳＴ２３）。
【００４１】
この実施例では、判定対象にかご内定員の８０％を挙げているが、このように一定の値に固定せず、実際には交通需要により、混雑状態，通常状態，あるいは閑散状態の判定を行い、その結果に対応した値を選定する必要がある。例えば、混雑時には、かご内定員の８０％，通常時にはかご内定員の６０％，閑散時にはかご内定員の４０％というように設定すると、より効率のよい運行サービスになる。
【００４２】
さて、当該乗り場を出発時の予測かご内乗客数が、かご内定員の８０％より小さいと追加割当ては実施せず（ＳＴ２６）、出発時予測かご内乗客数がかご内定員の８０％以上であると追加割当て実施を決定し（ＳＴ２４）、追加割当てかご選定へ進む（ＳＴ２５）。
【００４３】
以上が、本実施例の追加割当てを行うための条件である。
【００４４】
次に、異なる動作例を２つ挙げ、本制御機能を用いたときの効果を図４〜７のイメージ図をもとに具体的に説明する。
【００４５】
［動作例１］
まず、図４、５では、公知の追加割当て機能の有無による効果の違いを示す。
【００４６】
図４は、追加割当て機能を持たない通常の乗り場行先階予約機能を備えたエレベーターの４階乗り場イメージ図であり、図１の群管理装置１０のみで制御を行っている。
【００４７】
この例では、分かり易く説明するため、Ａ、Ｂ号機の２台だけに注目する。また、エレベーターの定員は１０人とする。
【００４８】
図４（Ａ）は、ある乗り場で８人の待ち客４０１が、各々、行先階予約装置４０２によって、当該階より上にある行先階を予約し終えて待っている状況とする。さらに、第１割当て号機であるＡ号機には、既に５人が乗車しているとする。
【００４９】
追加割当て機能を持たない場合、割当てかごＡ号機が到着しても、乗車定員が１０人であるため、８人の待ち客４０１全員がＡ号機エレベーターに乗り込むことはできない。すなわち、図４（Ｂ）に示すように、８人の待ち客４０１のうち５人の利用客４０１１はＡ号機エレベーターに乗車できるが、残りの３人の利用客４０１２は、Ａ号機エレベーターに乗車できずに、Ａ号機エレベーターは満員状態で出発する。
【００５０】
この結果、図４（Ｃ）に示すように、Ａ号機エレベーターに乗車できなかった３名の利用客４０１２は、再度、行先階登録装置４０２にて行先階の予約入力を行い、次のエレベーターの到着を待たなければならない。
【００５１】
図５は、従来の追加割当て機能を持った乗り場行先階登録機能を備えたエレベーターの４階乗り場イメージ図であり、図１の群管理装置１０と、従来の追加割当て機能に基いて制御を行っている。
【００５２】
前述した図４に対して、図５では、以下に説明するように、公知の追加割当て機能を持たせることで、複数のかごへ利用者を分配し、図４で発生した積み残しを防止することができる。
【００５３】
ここでは、追加割当条件は、「乗り場行先階登録回数≧かご内定員の８０％」であるとする。
【００５４】
図５（Ａ）に示すように、乗り場周りは混雑していて、８人の利用客４０１は、各人がそれぞれ行先階予約を終えてエレベーターを待っている。しかし、図４（Ａ）とは異なり、乗車定員１０人に対し、８人が乗り場行先階予約を行ったため、前記追加割当条件である「乗り場行先階登録回数≧かご内定員の８０％」が満たされ、Ｂ号機も当該乗り場に追加割当てされる。
【００５５】
この結果、図５（Ｂ）に示すように、Ａ、Ｂ号機のどちらにも乗車でき、図５（Ｃ）に示すように、積み残しは発生しない。
【００５６】
以上の通り、追加割当て機能により、混雑時の迅速な割当て追加による積み残し防止と共に待ち時間削減及びサービス完了時間の短縮といった効果が得られた。
【００５７】
［動作例２］
次に、追加割当条件についての本発明の有用性について、図６，７の動作例を用いて説明する。図６、７では、異なる追加割当てかご選定条件を設け、その動きの違いを示している。
【００５８】
図６では、追加割当て条件を、動作例１の図５と同様に、乗り場行先階登録回数が所定値（ここでは、８回：かご内定員の８０％相当）を上回ると追加割当てを実行するという設定であり、多くの背景技術でも用いられている条件である。
【００５９】
図６の前提条件として、図６（Ａ）に示すように、Ａ号機６０１は２階に停止し、Ｂ号機６０２は１階に停止しており、それぞれ、６人，７人が乗車し、５階を行先階としている。また、４階には５人の利用者６０３が、５階への乗り場行先階予約を終え、かごの到着を待っている状態である。すなわち、４階の乗り場行先階登録回数は５回である。
【００６０】
この例でも、分かり易く説明するため、Ａ，Ｂ号機の２台だけに注目し、第１割当てエレベーターはＡ号機６０１であったとする。かごの乗車定員は共に１０人とする。
【００６１】
図６（Ｂ）に示すように、図６の条件では、乗り場登録回数５回が、追加割当て条件８回を満たしておらず、追加割当ては実行されない。したがって、割当てられたＡ号機６０１が到着しても、かご内定員は１０人のため、１人の積み残し６０４が発生する。この結果、図６（Ｃ）に示すように、かごに乗車できなかった利用者６０４は、再度行先階予約を行い、次のかごの到着を待たなければならない。
【００６２】
従って、追加割当て条件を、単に、乗り場行先階登録回数で設定すると、図５で示した動作例１のように、ある乗り場に多くの利用者が待っていて、行先階登録回数が多ければ、追加割当てが行われ、結果が良好な場合もある。しかし、図６の動作例のように、行先階登録回数が５回であり、所定値８回よりも少ないと、追加割当てが必要な場合でも、追加割当ては行われないという欠点がある。
【００６３】
これに対し、本発明の実施例を用いた図７では、追加割当て条件を、図３のフローチャートに示したように、割当てた乗り場を出発時のかご内乗客数が所定値を超えているか否かで設定している。すなわち、乗り場行先階登録回数に基いて、該当階を出発時の予測かご内乗客数を割出し、その値が交通需要に応じた所定値（この実施例では、かご内定員の８０％）を上回ると追加割当てを実行するという設定にしている。
【００６４】
このような本発明の実施例により、図７のように行先階登録回数が少ない場合でも、予測かご内乗客数が所定値を超えることにより、追加割当てを行い、積み残しを防止することができる。
【００６５】
図７（Ｂ）に示すように、乗り場での待ち客数が５人であり、個別に行先階予約操作をしたとすると、行先階登録回数は５回である。また、４階に到着時のかご内乗客数は６人であり、このままでは、４階を出発時の予測かご内乗客数は１１名となってしまい、交通需要に応じた所定値（この実施例では、かご内定員の８０％）を上回る。したがって、追加割当て条件を満たしているため追加割当てを実行することとなる。
【００６６】
これにより、図７（Ｃ）に示すように、積み残しなく、効率的な運行サービスを行うことができる。
【００６７】
図７の動作例では、混雑時を想定したため、追加割当て条件式を、「出発時の予測かご内乗客数≧かご内定員８０％」としている。しかし、図３のステップＳＴ２３で説明したように、交通需要状況に応じて追加割当て条件式の右辺のかご内定員に対する割合を変えることで、より効率のよい運行サービスが可能となる。
【００６８】
以上のように、本発明の実施例によれば、交通需要に応じて追加割当てを行うことで、積み残し防止を図ると共に待ち時間を削減することができる。
【図面の簡単な説明】
【００６９】
【図１】本発明の一実施例による乗り場行先階予約式エレベーター群管理システムの全体構成図。
【図２】本発明の一実施例による乗り場行先階予約式エレベーター群管理システムにおける追加割当て処理フロー図。
【図３】本発明の一実施例による追加割当て実施判定処理フロー図。
【図４】追加割当て機能を持たない通常の乗り場行先階予約機能を備えたエレベーターの４階乗り場イメージ図。
【図５】従来の追加割当て機能を持った乗り場行先階登録機能を備えたエレベーターの４階乗り場イメージ図。
【図６】乗り場行先階登録回数のみを追加かご割当て条件とした場合のエレベーター動作を示すイメージ図。
【図７】本発明の一実施例による出発時の予測かご内乗客数を追加かご割当て条件とした場合のエレベーター動作を示すイメージ図。
【符号の説明】
【００７０】
１０，１１…群管理装置、２１〜２９…乗り場行先階予約装置、３１〜３６…号機制御装置、４１〜４６…エレベーターかご、４０２…乗り場行先階予約装置、４０１…乗り場待ち客、４０１１…Ａ号機への乗車客、４０１２…積み残し客、６０１…Ａ号機、６０２…Ｂ号機、６０３…４階乗り場待ち客。
【図１】
2010150013.tif 000003
【図２】
2010150013.tif 000004
【図３】
2010150013.tif 000005
【図４】
2010150013.tif 000006
【図５】
2010150013.tif 000007
【図６】
2010150013.tif 000008
【図７】
2010150013.tif 000009